(57)【要約】【課題】便蓋の起立時に便蓋の後縁をケーシングの受止部に当接させるようにした便器上面設備において、便蓋の後縁の耐久性を向上させる。【解決手段】洋風便器１の後部上面に便座ボックス２が設置され、この便座ボックス２の前部に便座３及び便蓋１０が起倒回動可能に取り付けられている。便座ボックス２の上面に、便蓋１０が所定角度まで後方へ起立回動したときに該便蓋１０の後縁を受け止めて該便蓋１０のそれ以上の後方への回動を停止させる受止部５が設けられている。受止部５は、便座ボックス２の上面の左右の側縁近傍に位置している。受止部５，５同士の間隔は、便蓋１０の後縁の左右方向の幅と同等か、それよりも若干小さなものとなっている。便蓋１０が起立回動した場合、各受止部５は、便蓋１０の後縁のうち、左右のストッパ部Ｓと垂下板部１２の左右の後端とが交わる各コーナー部１１ｂ又はその直近部にそれぞれ当接する。【選択図】図５
2010194039.tif 000002
【特許請求の範囲】
【請求項１】
洋風便器の後部上面に設置されるケーシングと、該ケーシングに起倒回動可能に取り付けられた便蓋及び便座とを備え、
該ケーシングに、起立した該便蓋の後縁が当接する受止部が設けられた便器上面設備であって、
該便蓋は、前記便座の上面に被さる主板部と、
該主板部の両側縁及び前縁から垂下する垂下板部と、
後部に設けられた軸支部と
を有し、該軸支部が前記ケーシングに回動可能に取り付けられている便器上面設備において、
該便蓋が起立したときに、該便蓋の後縁のうち少なくとも前記主板部と垂下板部とが交わるコーナー部又はその直近部が前記受止部に当接するように構成されていることを特徴とする便器上面設備。
【請求項２】
請求項１において、前記ケーシングに、便器左右方向に間隔をおいて２個の前記受止部が設けられており、
該受止部同士の間隔は、前記便蓋の後縁の左右方向の幅と略同等であることを特徴とする便器上面設備。
【請求項３】
請求項１又は２において、前記便蓋に、該便蓋の後縁のうち少なくとも前記コーナー部及びその直近部を補強する補強体が設けられていることを特徴とする便器上面設備。
【請求項４】
請求項３において、該補強体は、前記便蓋と別々に製作されて該便蓋に取り付けられたものであり、
該便蓋の補強体取り付け部にインサートナットが設けられており、
該補強体は、ネジ部材により該インサートナットに留め付けられていることを特徴とする便器上面設備。
【請求項５】
請求項４において、前記便蓋に、該補強体が嵌合した嵌合部が設けられていることを特徴とする便器上面設備。
【請求項６】
請求項５において、該嵌合部は、該補強体を取り囲む周壁部を有しており、
前記便蓋のうち該周壁部によって囲まれた部分に前記インサートナットが設けられていることを特徴とする便器上面設備。
【請求項７】
請求項５又は６において、該補強体は、前記主板部に重なるプレート部と、
該プレート部から前記垂下板部に沿って突出した突出部と
を有しており、
該主板部に、該プレート部を係止した係止手段が設けられており、
該垂下板部に、該突出部が嵌合した前記嵌合部が設けられており、
該嵌合部に前記インサートナットが配置されており、該突出部が該インサートナットに対し前記ネジ部材により留め付けられていることを特徴とする便器上面設備。
【請求項８】
請求項３ないし７のいずれか１項において、該補強体に前記軸支部が設けられていることを特徴とする便器上面設備。
【請求項９】
請求項３ないし８のいずれか１項において、前記便蓋はＡＢＳ又はＰＰよりなり、前記補強体はＰＢＴ、ナイロン又は金属よりなることを特徴とする便器上面設備。
【発明の詳細な説明】
【技術分野】
【０００１】
本発明は、洋風便器の後部上面に設置される便座ボックスなどのケーシングと、該ケーシングに起倒回動可能に取り付けられた便蓋及び便座とを備えた便器上面設備に係り、特に、便蓋を起立させたときに、この便蓋の後縁がケーシングの受止部に当接するように構成された便器上面設備に関する。
【背景技術】
【０００２】
洋風便器の後部上面に、便座ボックスやロータンクカバーが設置され、この便座ボックス又はロータンクカバーに便座及び便蓋を起倒回動可能に取り付けてなる洋風便器設備は周知である。
【０００３】
便蓋を起立させたときに便蓋が便座ボックスやロータンクカバーのケーシングに直に当ると、便蓋に傷が付くので、このケーシングの前面にゴム又はエラストマー製のチップを取り付け、このチップにて便蓋を受け止めるように構成した洋風便器設備が広く市販されているが、チップが変色して見栄えが悪くなることがある。
【０００４】
特開２００３−１９００４１号公報には、便座ボックスの上面に、上方に突出する凸部（同号では当たり片と称されている。）を設け、便蓋を所定角度まで開くと、便蓋の後縁がこの凸部に当接し、便蓋がそれ以上後方へ回動しなくなるように構成した便器上面設備が記載されている。
【０００５】
同号公報では、便座ボックスの前面から前方に張り出す突出部が設けられており、その左右両側に、それぞれ、取付け用段部と称される凹所が形成されている。この凹所に面した突出部の左右の側面からは、それぞれ、便座及び便蓋を回動可能に支持する支軸が側方へ突設されている。この凹所の底面からそれぞれ前記凸部が突設されている。
【０００６】
便座の後部の左右両端側には、それぞれ、アーム状のヒンジ部が設けられている。これらのヒンジ部が該突出部の左右の凹所内に配置され、それぞれ前記支軸により回動可能に支持されている。各支軸は、これらのヒンジ部を貫通してさらに側方へ突出している。
【０００７】
便蓋は、便座の上面に被さる板状の主板部と、主板部の両側縁及び前縁から垂下する垂下板部とを有している。この便蓋の後部の左右両側にはそれぞれ軸受け部が設けられている。これらの軸受け部が便座の各ヒンジ部の外側に配置され、各ヒンジ部から側方へ突出した各支軸の先端部にそれぞれ回動可能に支持されている。
【０００８】
便蓋の後縁のうち、左右の軸受け部同士の間の部分の左右両端側からは、それぞれ、後方へ向かって突起片が突設されている。便蓋が所定の開度まで起立回動したときには、これらの突起片がそれぞれ前記凸部に当接し、該便蓋の回動が停止する。
【先行技術文献】
【特許文献】
【０００９】
【特許文献１】特開２００３−１９００４１号公報
【発明の概要】
【発明が解決しようとする課題】
【００１０】
一般的に、便蓋の後縁は、主板部と垂下板部とがＬ字状に交わるコーナー部付近において最も剛性が高く、このコーナー部から離隔するほど剛性が低くなり、凸部に接触したときに撓み易くなる。
【００１１】
上記特開２００３−１９００４１号公報では、便蓋の後縁のうち、このコーナー部から各軸受け部の分だけ便蓋の左右方向中央側に配置された突起片が凸部に当接するようになっているので、この突起片が凸部に当接したときに、便蓋の後縁が撓み易い。
【００１２】
通常の場合、便蓋は、合成樹脂の射出成形品よりなり、合成樹脂としては、成形性の良いＡＢＳが用いられることが多い。このＡＢＳは、比較的強度及び剛性が低い。そのため、同号公報のように、便蓋の開閉に伴って突起片が繰り返し凸部に当接し、その度に便蓋の後縁が撓むと、便蓋の後縁が破損し易い。
【００１３】
本発明は、上記従来の問題点を解決し、便蓋の起立時に便蓋の後縁をケーシングの受止部に当接させるようにした便器上面設備において、便蓋の後縁の耐久性を向上させることを目的とする。
【課題を解決するための手段】
【００１４】
請求項１の便器上面設備は、洋風便器の後部上面に設置されるケーシングと、該ケーシングに起倒回動可能に取り付けられた便蓋及び便座とを備え、該ケーシングに、起立した該便蓋の後縁が当接する受止部が設けられた便器上面設備であって、該便蓋は、前記便座の上面に被さる主板部と、該主板部の両側縁及び前縁から垂下する垂下板部と、後部に設けられた軸支部とを有し、該軸支部が前記ケーシングに回動可能に取り付けられている便器上面設備において、該便蓋が起立したときに、該便蓋の後縁のうち少なくとも前記主板部と垂下板部とが交わるコーナー部又はその直近部が前記受止部に当接するように構成されていることを特徴とするものである。
【００１５】
請求項２の便器上面設備は、請求項１において、前記ケーシングに、便器左右方向に間隔をおいて２個の前記受止部が設けられており、該受止部同士の間隔は、前記便蓋の後縁の左右方向の幅と略同等であることを特徴とするものである。
【００１６】
請求項３の便器上面設備は、請求項１又は２において、前記便蓋に、該便蓋の後縁のうち少なくとも前記コーナー部及びその直近部を補強する補強体が設けられていることを特徴とするものである。
【００１７】
請求項４の便器上面設備は、請求項３において、該補強体は、前記便蓋と別々に製作されて該便蓋に取り付けられたものであり、該便蓋の補強体取り付け部にインサートナットが設けられており、該補強体は、ネジ部材により該インサートナットに留め付けられていることを特徴とするものである。
【００１８】
請求項５の便器上面設備は、請求項４において、前記便蓋に、該補強体が嵌合した嵌合部が設けられていることを特徴とするものである。
【００１９】
請求項６の便器上面設備は、請求項５において、該嵌合部は、該補強体を取り囲む周壁部を有しており、前記便蓋のうち該周壁部によって囲まれた部分に前記インサートナットが設けられていることを特徴とするものである。
【００２０】
請求項７の便器上面設備は、請求項５又は６において、該補強体は、前記主板部に重なるプレート部と、該プレート部から前記垂下板部に沿って突出した突出部とを有しており、該主板部に、該プレート部を係止した係止手段が設けられており、該垂下板部に、該突出部が嵌合した前記嵌合部が設けられており、該嵌合部に前記インサートナットが配置されており、該突出部が該インサートナットに対し前記ネジ部材により留め付けられていることを特徴とするものである。
【００２１】
請求項８の便器上面設備は、請求項３ないし７のいずれか１項において、該補強体に前記軸支部が設けられていることを特徴とするものである。
【００２２】
請求項９の便器上面設備は、請求項３ないし８のいずれか１項において、前記便蓋はＡＢＳ又はＰＰよりなり、前記補強体はＰＢＴ、ナイロン又は金属よりなることを特徴とするものである。
【発明の効果】
【００２３】
本発明の便器上面設備にあっては、便蓋が起立回動した場合、この便蓋の後縁のうち、少なくとも主板部と垂下板部とが交わるコーナー部又はその直近部が受止部に当接する。このコーナー部付近においては、該主板部と垂下板部とが略Ｌ字状に交わっているため、それよりも主板部の左右方向中央側の部分に比べて、剛性が高い。そのため、便蓋の開閉に伴って便蓋の後縁が繰り返し受止部に当っても、便蓋が破損しにくく、便蓋の耐久性が高いものとなる。
【００２４】
なお、本発明においては、このコーナー部の直近部とは、便蓋の後縁のうち垂下板部の後端から主板部の左右方向の中央側に０〜５０ｍｍ、特に０〜３０ｍｍの範囲をいう。
【００２５】
請求項２の便器上面設備にあっては、便蓋の起立時には、左右の受止部に便蓋の後縁の左右のコーナー部がそれぞれ当接するため、受止部に便蓋の後縁が当ったときの衝撃が分散される。
【００２６】
請求項３の便器上面設備にあっては、少なくともこのコーナー部及びその直近部が補強体によって補強されているので、便蓋の耐久性がより高いものとなる。
【００２７】
請求項４の便器上面設備にあっては、補強体は、便蓋の補強体取り付け部に設けられたインサートナットに対しネジ部材により留め付けられている。このインサートナットは、便蓋に対し一体成形により強固に結合しているので、補強体の便蓋への取り付けも強固なものとなる。
【００２８】
請求項５の便器上面設備にあっては、便蓋に補強体が嵌合する嵌合部が設けられているので、補強体の取り付け時の位置決めが容易であると共に、補強体がしっかりと便蓋に保持されるようになる。
【００２９】
請求項６の便器上面設備にあっては、この嵌合部は、補強体を取り囲む周壁部を有していると共に、便蓋のうちこの周壁部によって囲まれた部分にインサートナットが設けられている。そのため、補強体の取付時には、補強体をこの周壁部の内側に嵌め込んで容易に位置決めすることができる。また、補強体を周壁部の内側に嵌め込んだ後、インサートナットにネジ部材を締め込んで補強体を便蓋に固定するので、補強体が周壁部の内側に保持されてしっかりと便蓋に取り付けられる。
【００３０】
請求項７の便器上面設備にあっては、補強体は、主板部と垂下板部との双方に跨って設けられているため、便蓋の後縁が受止部に当ったときに、この主板部と垂下板部とが交わるコーナー部付近が撓むことを確実に防止することができる。この補強体のうち主板部に重なるプレート部は、係止手段によって該主板部に係止されていると共に、このプレート部から垂下板部に沿って突出した突出部は、該垂下板部に設けられた嵌合部に嵌合し、且つ該嵌合部に設けられたインサートナットにネジ留めされている。これにより、補強体がガタつきなくしっかりと便蓋に取り付けられると共に、この補強体により前記コーナー部が高強度となる。
【００３１】
請求項８の便器上面設備にあっては、この補強体に軸支部が設けられているので、この軸支部の耐久性も高いものとなる。
【００３２】
請求項９の便器上面設備によると、便蓋は成形性が良好で且つ比較的安価な合成樹脂にて構成され、補強体は硬度及び強度の高い合成樹脂や金属にて構成される。これにより、硬度及び強度の高い材料の使用を最少限に抑えることができ、コストアップを抑えることができる。
【図面の簡単な説明】
【００３３】
【図１】実施の形態に係る便器上面設備を備えた洋風便器の斜視図である。
【図２】便器上面設備の便座ボックスの斜視図である。
【図３】図２のIII部分の便器後方側からの斜視図である。
【図４】便蓋起立時における受止部付近の便器前方側からの斜視図である。
【図５】便蓋起立時における便蓋後縁と受止部との位置関係を示す、該便蓋のストッパ部付近の拡大斜視図である。
【図６】便蓋起立時における該便蓋の軸支部付近の側面図である。
【図７】図２のVII−VII線に沿う部分の断面図である。
【図８】便蓋の右側軸支部付近の斜視図である。
【図９】図８のIX−IX線に沿う断面図である。
【図１０】便蓋の右側軸支部付近の分解斜視図である。
【図１１】便蓋の右側軸支部付近の分解斜視図である。
【図１２】便蓋の右側軸支部付近の分解斜視図である。
【図１３】便蓋の左側軸支部付近の斜視図である。
【図１４】便蓋の左側軸支部付近の分解斜視図である。
【発明を実施するための形態】
【００３４】
以下に、図面を参照して本発明の実施の形態について説明する。
【００３５】
第１図は実施の形態に係る便器上面設備を備えた洋風便器の斜視図、第２図はこの便器上面設備の便座ボックスの斜視図、第３図は第２図のIII部分（受止部）の便器後方側からの斜視図、第４図は便蓋起立時における受止部付近の便器前方側からの斜視図、第５図は、便蓋起立時における便蓋後縁と受止部との位置関係を示す、該便蓋のストッパ部付近の拡大斜視図、第６図は便蓋起立時における該便蓋の軸支部付近の側面図、第７図は第２図のVII−VII線に沿う部分の断面図、第８図は便蓋の右側軸支部付近の斜視図、第９図は第８図のIX−IX線に沿う断面図、第１０〜１２図はこの右側軸支部付近の分解斜視図、第１３図は便蓋の左側軸支部付近の斜視図、第１４図はこの左側軸支部付近の分解斜視図である。
【００３６】
なお、以下の説明において、前後方向及び左右方向は、便座に着座した者にとっての前後方向及び左右方向と合致する。また、便蓋の前縁、後縁、上面及び下面とは、それぞれ、便蓋倒伏時における前縁、後縁、上面及び下面をいう。便宜上、便蓋が起立した状態にあっても、便蓋倒伏時に前縁、後縁、上面及び下面となる部分をそのまま前縁、後縁、上面及び下面と呼ぶ。
【００３７】
第１図の通り、洋風便器１の後部上面にケーシングとしての便座ボックス２が設置され、この便座ボックス２の前部に便座３及び便蓋１０が起倒回動可能に取り付けられている。図示は省略するが、この便座ボックス２内には温水洗浄装置等のトイレ機器が設置されている。このトイレ機器は、リモコン（図示略）又は該便座ボックス２に設けられた操作パネル（図示略）によって操作される。
【００３８】
第２図の通り、この実施の形態では、便座ボックス２の前面２ｂの下部に、洋風便器１の上面に沿って前方へ張り出す張出部２ａが形成されている。この張出部２ａの上面は、前方に向って下り勾配の傾斜面となっている。
【００３９】
第２図に示すように、この張出部２ａの上面の中央付近から、略半円筒形の取付基部４が突設されている。第２，３図の通り、この取付基部４は、便座ボックス２の前面２ｂから前方へ所定距離離隔しており、この取付基部４の後面４ａと便座ボックス２の前面２ｂとの間には、便蓋１０が起立したときに該便蓋１０の後縁が入り込む隙間があいている。この取付基部４の左右幅は、便座ボックス２の左右幅よりも小さなものとなっている。
【００４０】
この張出部２ａの上面に、便蓋１０が所定角度まで後方へ起立回動したときに該便蓋１０の後縁を受け止めて該便蓋１０のそれ以上の後方への回動を停止させる受止部５が設けられている。この受止部５は、取付基部４の左右両側にそれぞれ設置されている。この実施の形態では、各受止部５は、それぞれ取付基部４の左右の側端面４ｂ，４ｃから側方へ所定距離離隔しており、張出部２ａの上面の左右の側縁近傍に位置している。これらの受止部５，５同士の間隔は、便蓋１０の後縁の左右方向の幅（後述の垂下板部１２の左右の後端同士の間隔）と同等か、それよりも若干（１〜１０ｍｍ程度、特に２〜５ｍｍ程度）小さなものとなっている。各受止部５の左右方向の幅は、３〜３０ｍｍ、特に５〜１５ｍｍであることが好ましい。
【００４１】
この実施の形態では、第２図の通り、各受止部５は、該張出部２ａの上面から上方へ突出した凸部よりなり、便蓋１０が所定角度まで後方へ起立回動したときには、この受止部５の上面に該便蓋１０の後縁が当接するようになっている。
【００４２】
なお、各受止部５の上面に、ゴム又はエラストマー等よりなるクッション材が設けられてもよい。あるいは、各受止部５自体がゴム又はエラストマー等のクッション性を有する材料にて形成されてもよい。
【００４３】
この実施の形態では、取付基部４内に、便座３をモータによって回動させる便座回動装置（図示略）と、便蓋１０をモータによって回動させる便蓋回動装置（図示略）とが設置されている。便座回動装置及び便蓋回動装置の駆動軸（図示略）は、それぞれ、取付基部４の左右の側端面４ｂ，４ｃに設けられた駆動軸延出口６を通って該取付基部４の側方へ延出しており、これらの駆動軸に便座３及び便蓋１０が連結されている。この実施の形態では、便座回動装置の駆動軸は、取付基部４の左端面４ｂ側の駆動軸延出口６を通って取付基部４の左方へ延出し、便蓋回動装置の駆動軸は、取付基部４の右端面４ｃ側の駆動軸延出口６を通って取付基部４の右方へ延出している。なお、これらの駆動軸への便座３及び便蓋１０の連結構造については後に詳述する。
【００４４】
各回動装置による便座３及び便蓋１０の開閉は、前記リモコン又は操作パネルによって操作される。便蓋１０は、人体検知センサにより便器前方の人体の有無を検知して自動で開閉するように構成されてもよい。なお、これらの回動装置が省略され、便座３及び便蓋１０はそれぞれ手動により開閉されるように構成されてもよい。
【００４５】
便座３の後縁の左右両端側から後方へ向って１対のアーム状のヒンジ部３ａ，３ｂが突設されている。これらのヒンジ部３ａ，３ｂには、それぞれ、該ヒンジ部３ａ，３ｂを左右方向に貫通した駆動軸挿通孔（図示略）が設けられている。便座３は、該ヒンジ部３ａ，３ｂがそれぞれ取付基部４の左右両側に配置され、各ヒンジ部３ａ，３ｂの駆動軸挿通孔にそれぞれ各回動装置の駆動軸が挿通されることにより、取付基部４に対し起倒回動可能に連結されている。
【００４６】
この実施の形態では、左側のヒンジ部３ａに便座回動装置の駆動軸が挿通され、右側のヒンジ部３ｂに便蓋回動装置の駆動軸が挿通されている。この便座回動装置の駆動軸は、該ヒンジ部３ａの駆動軸挿通孔に対し回転不能に（即ち便座回動装置の駆動軸と便座３とが共回りするように）挿通されている。また、便蓋回動装置の駆動軸は、ヒンジ部３ｂの駆動軸挿通孔に対し回転自在に（即ち便蓋回動装置の駆動軸が該駆動軸挿通孔内で空転するように）挿通されている。
【００４７】
なお、各駆動軸の長さは、各ヒンジ部３ａ，３ｂの左右幅よりも長く、各駆動軸の先端側は、それぞれ該ヒンジ部３ａ，３ｂから側方へ突出している。
【００４８】
前述の各受止部５は、それぞれ、これらのヒンジ部３ａ，３ｂよりも張出部２ａの上面の左右の側縁に近接して配置されている。
【００４９】
便蓋１０は、便座３に被さる板状の主板部１１と、該主板部１１の左右の側縁及び前縁から便座３の外周縁に沿って垂下する垂下板部１２と、該主板部１１の後縁１１ａに設けられた、便蓋１０が所定角度まで後方へ起立回動したときに前記受止部５に当接するストッパ部Ｓ等を有している。この実施の形態では、該ストッパ部Ｓは、主板部１１の後縁１１ａの左右両端と垂下板部１２の左右の後端とが交わる各コーナー部１１ｂ付近にそれぞれ設けられている。
【００５０】
この実施の形態では、各ストッパ部Ｓは、主板部１１の後縁１１ａの左右両端側を後方へ延長するようにして形成されており、該後縁１１ａから後方へフラップ状に所定長さ張り出している。各ストッパ部Ｓの後端は、主板部１１の後縁１１ａと略平行となっている。各ストッパ部Ｓは、該後端側ほど下位となるように略円弧状に湾曲している。垂下板部１２の左右の後端はそれぞれ各ストッパ部Ｓの後端まで延在しており、各ストッパ部Ｓは、主板部１１から引き続き、直近の垂下板部１２の上縁に連なっている。垂下板部１２の左右の後端と各ストッパ部Ｓの後端とは略面一状となっている。
【００５１】
各ストッパ部Ｓの左右幅は、１０〜７５ｍｍ、特に２０〜５０ｍｍであることが好ましい。
【００５２】
これらの主板部１１、垂下板部１２及びストッパ部Ｓは、ＡＢＳ、ＰＰ（ポリプロピレン）等の、成形性が良好で且つ比較的安価な合成樹脂により一体に成形されている。なお、便蓋１０の材質はこれに限定されない。
【００５３】
この実施の形態では、各ストッパ部Ｓの下面側にそれぞれ補強体２０が取り付けられている。各補強体２０は、この実施の形態では、各ストッパ部Ｓの下面に重なるプレート部２１と、該プレート部２１の垂下板部１２側（各ストッパ部Ｓの直近の垂下板部１２側。以下、同様。）から該垂下板部１２に沿って下方へ突出した略半円柱形状の突出部２２とを有している。
【００５４】
第５図等に示すように、各プレート部２１は、ストッパ部Ｓの下面から、それよりも前方側の主板部１１の下面にまで延在する大きさの略長方形板状のものとなっている。各プレート部２１の後端側は、ストッパ部Ｓの下面に沿って該後端側ほど下位となるように円弧状に湾曲している。
【００５５】
各ストッパ部Ｓの後端には、それぞれ、各プレート部２１の後端を係止する後側係止部１３が設けられている。この後側係止部１３は、第１０，１４図等に示すように、各ストッパ部Ｓの後端から各プレート部２１の後端に沿って起立する起立部１３ａと、該起立部１３ａの起立方向の先端（即ち下端）から各プレート部２１の下面側に張り出すように前方へ突設された張出片１３ｂとを有している。各プレート部２１の後端の下面側には、この張出片１３ｂが係合する凹段部２１ａが形成されている。
【００５６】
また、主板部１１の下面には、各プレート部２１の前端を係止する前側係止部１４が設けられている。この前側係止部１４も、第１０，１４図等に示すように、主板部１１の下面から各プレート部２１の前端に沿って起立する起立部１４ａと、この起立部１４ａの起立方向の先端（即ち下端）から各プレート部２１の下面側に張り出すように後方へ突設された張出片１４ｂとを有している。各プレート部２１の前端の下面側にも、この張出片１４ｂが係合する凹段部２１ｂが形成されている。
【００５７】
この実施の形態では、これらの係止部１３，１４により、プレート部２１を主板部１１に係止する係止手段が構成されている。
【００５８】
なお、これらの係止部１３，１４は、それぞれ、各ストッパ部Ｓの後端と略平行に左右方向に延在しており、各々の垂下板部１２側の端部は、該垂下板部１２の内向き面（主板部１１の中央側を向く面。以下、同様。）に連なっている。また、これらの係止部１３，１４は、それぞれ、主板部１１の左右方向中央側（以下、単に主板部１１の中央側と略すことがある。）に開放したものとなっており、該主板部１１の中央側からこれらの係止部１３，１４にプレート部２１の凹段部２１ａ，２１ｂを差し込みうるようになっている。
【００５９】
これらの係止部１３，１４同士の間の主板部１１及び各ストッパ部Ｓの下面からは、左右方向に延在する凸条１５が突設されている。この実施の形態では、該係止部１３，１４同士の間には、前後方向に間隔をおいて２条の凸条１５が設けられている。各プレート部２１の上面側には、これらの凸条１５に係合する溝（図示略）が形成されている。各溝は、突出部２２の垂下板部１２側の端面に連通している。これらの凸条１５及び溝は、各プレート部２１を係止部１３，１４同士の間に差し込む際に互いに係合して各プレート部２１の垂下板部１２側への移動を案内する。
【００６０】
垂下板部１２の左右の両端近傍の内向き面からは、それぞれ、各突出部２２の外周面を取り囲む略半円筒状又は略Ｕ字状の周壁部１６が突設されている。各周壁部１６の両端は、それぞれ、直近の各係止部１３，１４の垂下板部１２側の端部に連なっている。各周壁部１６は、内側に各突出部２２が緊密に嵌合する形状及び大きさとなっている。この実施の形態では、該周壁部１６により、各補強体２０が嵌合する嵌合部が構成されている。
【００６１】
なお、第１２図に示すように、この周壁部１６の後面は、ストッパ部Ｓの後端と垂下板部１２の後端とが交わるコーナー部１１ｂに臨んでおり、この周壁部１６の後面に、便蓋１０が起立回動したときに各受止部５が係合する凹段状の係合部１７が形成されている。
【００６２】
垂下板部１２のうち各周壁部１６によって囲まれた部分には、それぞれインサートナット１８が埋設されている。なお、このインサートナット１８は、便蓋１０を金型で成形するときに、この金型内に予めセットされており、この状態で金型内に樹脂を供給して便蓋１０を成形することにより、該便蓋１０と一体成形されたものである。この実施の形態では、各インサートナット１８は、前記便座回動装置及び便蓋回動装置の各駆動軸と略同軸状に配置されている。各インサートナット１８の雌ネジ孔は、垂下板部１２の内側面にのみ露呈しており、便蓋１０の外側面には露呈していない。
【００６３】
この実施の形態では、左側のストッパ部Ｓに取り付けられた補強体２０の突出部２２に、前記便座回動装置の駆動軸が係合する軸支部２３Ｌが設けられている。また、右側のストッパ部Ｓに取り付けられた補強体２０の突出部２２には、前記便蓋回動装置の駆動軸が係合する軸支部２３Ｒが設けられている。以下、左側のストッパ部Ｓに取り付けられた補強体２０を左側補強体２０と呼び、右側のストッパ部Ｓに取り付けられた補強体２０を右側補強体２０と呼ぶことがある。
【００６４】
第８〜１１図に示すように、右側補強体２０の軸支部２３Ｒは、突出部２２の垂下板部１２と反対側の端面の中央付近に設けられた駆動軸挿入穴２４を有している。この駆動軸挿入穴２４に前記便蓋回動装置の駆動軸が挿入されている。図示は省略するが、この便蓋回動装置の駆動軸の先端側は角軸状となっており、駆動軸挿入穴２４は、この駆動軸の先端側の外形と略合致する角穴状となっている。
【００６５】
駆動軸挿入穴２４の最奥面には、この駆動軸挿入穴２４と同軸状に、突出部２２を貫通したボルト挿通孔２５が設けられている。
【００６６】
第１３，１４図に示すように、左側補強体２０の軸支部２３Ｌは、突出部２２の垂下板部１２と反対側の端面に上記駆動軸挿入穴２４と同軸的に設けられた略Ｃ字形の軸受部２６ａと、該軸受部２６ａの外周を取り巻くように配置され、且つ該軸受部２６ａの外周面に沿って回転可能な略Ｃ字形のロック部材２６ｂとを備えている。
【００６７】
図示は省略するが、前記便座回動装置の駆動軸の先端側は円形断面形状となっている。軸受部２６ａの内周径は、この便座回動装置の駆動軸の先端側が回転自在に内嵌しうる大きさとなっている。また、この軸受部２６ａの周方向の両端部同士の間及びロック部材２６ｂの周方向の両端部同士の間の各切欠状部の幅は、便座回動装置の駆動軸の先端側がこれらの切欠状部を通って該軸受部２６ａ内に入り込みうる大きさとなっている。
【００６８】
軸受部２６ａに取り囲まれた突出部２２の垂下板部１２と反対側の端面の中央付近には、この軸受部２６ａと同軸状に、該突出部２２を貫通したボルト挿通孔２５が設けられている。
【００６９】
各補強体２０は、ＰＢＴ、ナイロン等の、前記便蓋本体よりも高強度の合成樹脂により構成されている。なお、補強体２０の材質はこれに限定されるものではなく、金属であってもよい。
【００７０】
この補強体２０を便蓋１０に取り付けるに当っては、各係止部１３，１４よりも主板部１１の中央側において、該主板部１１の下面にプレート部２１の上面を重ね、各係止部１３，１４にプレート部２１の前後両端を係合させつつ、この補強体２０を該主板部１１の下面に沿って垂下板部１２側へスライドさせる。補強体２０を垂下板部１２に突き当たるまでスライドさせると、この補強体２０の突出部２２が周壁部１６内に嵌合する。その後、主板部１１の中央側からボルト挿通孔２５を介して各インサートナット１８にボルト１９を締め込む。これにより、補強体２０が便蓋１０に固定され、補強体２０の取り付けが完了する。
【００７１】
この補強体２０により、各ストッパ部Ｓと垂下板部１２とが交わる各コーナー部１１ｂ付近が補強され、各コーナー部１１ｂ付近の剛性が高いものとなっている。
【００７２】
便蓋１０を便座ボックス２に取り付けるに当っては、まず、右側補強体２０の突出部２２を便座３の右側ヒンジ部３ｂの外側に配置し、軸支部２３Ｒの駆動軸挿入穴２４に便蓋回動装置の駆動軸の先端側を差し込む。次に、左側補強体２０の軸支部２３Ｌのロック部材２６ｂを回して該ロック部材２６ｂの切欠状部を軸受部２６ａの切欠状部と重ね合わせておき、これらの切欠状部を介して便座回動装置の駆動軸の先端側を軸受部２６ａに入り込ませつつ、左側補強体２０の突出部２２を便座３の左側ヒンジ部３ａの外側に配置する。その後、ロック部材２６ｂを回して軸受部２６ａの切欠状部を閉鎖する。これにより、便座回動装置の駆動軸が該軸受部２６ａ内に保持され、便蓋１０が各駆動軸を介して便座ボックス２に起倒回動可能に連結される。
【００７３】
前述の通り、便蓋回動装置の駆動軸の先端側は角軸状となっており、駆動軸挿入穴２４は、この駆動軸の先端側の外形と略合致する角穴状となっているので、この便蓋回動装置の駆動軸は、該駆動軸挿入穴２４に対し回転不能に（即ち便蓋回動装置の駆動軸と便蓋１０とが共回りするように）係合している。これに対し、便座回動装置の駆動軸は、軸受部２６ａ内に回転自在に（即ち便蓋回動装置の駆動軸が該軸受部２６ａ内で空転するように）係合している。
【００７４】
この実施の形態では、前記リモコン又は操作パネルの便蓋開閉スイッチが押されると、便蓋回動装置が作動してその駆動軸が回転駆動され、便蓋１０がこの駆動軸と一体的に回動して便蓋１０が開閉する。この際、該便蓋回動装置の駆動軸は、便座３のヒンジ部３ｂの駆動軸挿通孔内で空転するので、便座３は開閉しない。
【００７５】
また、リモコン又は操作パネルの便座開閉スイッチが押されると、便座回動装置が作動してその駆動軸が回転駆動され、便座３がこの駆動軸と一体的に回動して便座３が開閉する。この際、便座３に下から押されて便蓋１０も開閉する。
【００７６】
便蓋１０が後方へ所定角度まで起立回動した場合には、第４〜７図のように、便蓋１０の後縁の左右両側のストッパ部Ｓがそれぞれ受止部５に当接し、便蓋１０がそれ以上後方へ回動しなくなる。
【００７７】
この便器上面設備にあっては、左右の受止部５，５同士の間隔は、便蓋１０の後縁１１ａの左右方向の幅（即ち垂下板部１２の左右の後端同士の間隔）と同等か、それよりも若干小さなものとなっている。そのため、便蓋１０が起立回動した場合、第５図の通り、これらの受止部５は、便蓋１０の後縁のうち、各ストッパ部Ｓと垂下板部１２の左右の後端とが交わる各コーナー部１１ｂ又はその直近部にそれぞれ当接する。
【００７８】
このコーナー部１１ｂ付近は、各ストッパ部Ｓと垂下板部１２の左右の後端とが略Ｌ字状に交わっているため、それよりも主板部１１の中央側の部分に比べて、剛性が高い。そのため、便蓋１０の開閉に伴って便蓋１０の後縁に繰り返し受止部５が当っても、便蓋１０が破損しにくく、便蓋１０の耐久性が良好である。
【００７９】
なお、本発明においては、このコーナー部１１ｂの直近部とは、便蓋１０の後縁のうち垂下板部１２の後端から主板部１１の中央側に０〜５０ｍｍ、特に０〜３０ｍｍの範囲をいう。
【００８０】
この実施の形態では、各補強体２０は、各ストッパ部Ｓと垂下板部１２との双方に跨って設けられているで、便蓋１０の後縁が各受止部５に当ったときに、各コーナー部１１ｂ付近が撓むことを確実に防止することができる。
【００８１】
この実施の形態では、補強体２０のうち主板部１１に重なるプレート部２１は、各係止部１３，１４によって該主板部１１に係止されている。また、このプレート部２１から垂下板部１２に沿って突出した突出部２２は、該垂下板部１２の後端近傍に設けられた周壁部１６に嵌合し、且つ該周壁部１６の内側に設けられた各インサートナット１８に対しボルト１９によって留め付けられている。これにより、補強体２０がガタつきなくしっかりと便蓋１０に取り付けられると共に、この補強体２０により各コーナー部１１ｂが高強度となる。
【００８２】
この実施の形態では、各周壁部１６の後面が各コーナー部１１ｂに臨んでおり、この周壁部１６の後面に、各受止部５が係合する係合部１７が設けられている。各周壁部１６の内側には、補強体２０の分厚い突出部２２が緊密に嵌合しているので、この係合部１７は、他の部位に比べて著しく高強度となっている。便蓋１０が起立したときには、この係合部１７に各受止部５が係合するので、便蓋１０の耐久性が著しく高いものとなる。
【００８３】
この実施の形態では、各補強体２０に、便座回動装置及び便蓋回動装置の駆動軸がそれぞれ係合する軸支部２３Ｌ，２３Ｒが設けられているため、この軸支部２３Ｌ，２３Ｒの耐久性も高いものとなっている。
【００８４】
この実施の形態では、各補強体２０は、便蓋１０に設けられた各インサートナット１８に対しボルト１９で留め付けられている。このインサートナット１８は、便蓋１０に対し一体成形により強固に結合しているので、各補強体２０の便蓋１０への取り付けも強固である。
【００８５】
なお、この実施の形態では、第６，７図の通り、各ストッパ部Ｓが受止部５に当接すると、便蓋１０の主板部１１の上面が便座ボックス２の前面２ｂから離隔した位置で便蓋１０の後方への回動が停止するようになっている。これにより、便蓋１０の起立時に主板部１１の上面が便座ボックス２の前面２ｂに当って該主板部１１の上面に傷が付くことが防止される。
【００８６】
なお、上記の実施の形態は本発明の一例を示すものであり、本発明は上記の実施の形態に限定されない。
【００８７】
例えば、上記実施の形態では、各受止部５は、便蓋１０の後縁のうち、各ストッパ部Ｓと垂下板部１２の左右の後端とが交わる各コーナー部１１ｂ又はその直近部にのみ当接するように構成されているが、各受止部５の左右幅を大きくし、各受止部５が各コーナー部１１ｂから主板部１１の中央側にかけての広い範囲に当接するように構成してもよい。例えば、各受止部５は、張出部２ａの上面の左右の側縁近傍から取付基部４の左右の側端面４ｂ，４ｃまで延在していてもよい。このように構成することにより、受止部５と便蓋１０の後縁とが当接したときの衝撃が分散され、受止部５及び便蓋１０の耐久性が向上する。
【００８８】
上記実施の形態では、垂下板部１２にインサートナット１８が設けられ、補強体２０の突出部２２がボルト１９によって該インサートナット１８にネジ留めされているが、ストッパ部Ｓにインサートナット１８を設け、補強体２０のプレート部２１を該インサートナット１８にネジ留めするようにしてもよい。ストッパ部Ｓと垂下板部１２の双方にインサートナット１８を設け、プレート部２１と突出部２２の双方を該インサートナット１８にネジ留めするようにしてもよい。
【００８９】
本発明においては、補強体２０の便蓋１０への取り付け方法は、このインサートナット１８へのネジ止めに限定されるものではない。例えば、補強体２０を便蓋１０に振動溶着等によって溶着してもよく、接着剤によって接着してもよい。
【００９０】
上記実施の形態では、洋風便器１の後部上面にケーシングとして便座ボックス２が設置されているが、ロータンクカバー（図示略）が設置されてもよい。
【符号の説明】
【００９１】
１  洋風便器
２  便座ボックス
２ａ  張出部
２ｂ  便座ボックスの前面
３  便座
３ａ，３ｂ  ヒンジ部
４  取付基部
５  受止部
１０  便蓋
１１  主板部
１１ａ  主板部の後縁
１１ｂ  コーナー部
１２  垂下板部
１３，１４  係止部
１６  周壁部
１７  係合部
１８  インサートナット
１９  ボルト
２０  補強体
２１  プレート部
２２  突出部
２３Ｌ，２３Ｒ  軸支部
２４  駆動軸挿入穴
２５  ボルト挿通孔
２６ａ  軸受部
２６ｂ  ロック部材
Ｓ  ストッパ部
【図１】
2010194039.tif 000003
【図２】
2010194039.tif 000004
【図３】
2010194039.tif 000005
【図４】
2010194039.tif 000006
【図５】
2010194039.tif 000007
【図６】
2010194039.tif 000008
【図７】
2010194039.tif 000009
【図８】
2010194039.tif 000010
【図９】
2010194039.tif 000011
【図１０】
2010194039.tif 000012
【図１１】
2010194039.tif 000013
【図１２】
2010194039.tif 000014
【図１３】
2010194039.tif 000015
【図１４】
2010194039.tif 000016